(57)【要約】【課題】  スイッチ切替部材に静電気放電した場合でも、スイッチに接続された電気回路の誤動作や破損が生じない安全なドア開閉検知装置を提供する。【解決手段】  カバー、カバーが開いた状態で電力を遮断する遮断状態に切り替え、カバーが閉まった状態で電力を供給する供給状態に切り替えるスイッチ、スイッチの状態を切り換えるための導電性の切替部材、カバーが閉まった状態で切替部材を押圧してスイッチを供給状態にし、カバーが開いた状態で切替部材から離れることにより押圧を解除してスイッチを遮断状態にする操作部材、前記カバーが開いた状態で前記切替部材と接触して前記切替部材の位置を固定する位置決め部材、を有し、位置決め部材は導電性部材であり接地されていることを特徴とする開閉検知装置。【選択図】  図１
2019089210.tif 000002
【特許請求の範囲】
【請求項１】
開閉可能なカバーと、
前記カバーが開いた状態で電力を遮断する遮断状態に切り替え、前記カバーが閉まった状態で電力を供給する供給状態に切り替えるスイッチと、
前記スイッチの状態を切り換えるための導電性の切替部材と、
前記カバーが閉まった状態で前記切替部材を押圧して前記スイッチを前記供給状態にし、前記カバーが開いた状態で前記切替部材から離れることにより押圧を解除して前記スイッチを前記遮断状態にする操作部材と、
前記カバーが開いた状態で前記切替部材と接触して前記切替部材の位置を固定する位置決め部材と、
を有し、
前記位置決め部材は導電性の部材であり接地されていることを特徴とする開閉検知装置。
【請求項２】
更に、前記切替部材を保護し、前記操作部材が貫通する穴を有する保護部材を有し、
前記カバーが開いた状態で前記切替部材の先端は前記保護部材と接触しない位置に固定されることを特徴とする請求項１に記載の開閉検知装置。
【請求項３】
前記操作部材は前記カバーと一体的に形成されていることを特徴とする請求項１または２に記載の開閉検知装置。
【請求項４】
前記位置決め部材は、前記開閉検知装置の本体フレームであることを特徴とする請求項１乃至３のいずれか１項に記載の開閉検知装置。
【請求項５】
前記スイッチは、前記切替部材の動作に連動して前記供給状態、又は前記遮断状態にするための回路を有することを特徴とする請求項１乃至４のいずれか１項に記載の開閉検知装置。
【請求項６】
前記保護部材は前記位置決め部材に固定されていることを特徴とする請求項２乃至５のいずれか１項に記載の開閉検知装置。
【請求項７】
画像を形成するための画像形成手段と、
前記画像形成手段の一部を露出するために開閉可能なカバーと、
前記カバーが開いた状態で電力を遮断する遮断状態に切り替え、前記カバーが閉まった状態で電力を供給する供給状態に切り替えるスイッチと、
前記スイッチの状態を切り換えるための導電性の切替部材と、
前記カバーが閉まった状態で前記切替部材を押圧して前記スイッチを前記供給状態にし、前記カバーが開いた状態で前記切替部材から離れることにより押圧を解除して前記スイッチを前記遮断状態にする操作部材と、
前記カバーが開いた状態で前記切替部材と接触して前記切替部材の位置を固定する位置決め部材と、
を有し、
前記位置決め部材は導電性の部材であり接地されていることを特徴とする画像形成装置。
【請求項８】
前記画像形成手段とは、像担持体を含む交換可能なユニットを含み、
前記カバーが開いた状態で、前記ユニットが交換可能であることを特徴とする請求項７に記載の画像形成装置。
【発明の詳細な説明】
【技術分野】
【０００１】
本発明は、装置に設けられたカバーの開閉検知装置及びこれを備えた画像形成装置に関する。
【背景技術】
【０００２】
複写機、プリンタ、ファクシミリ等の画像形成装置には、装置をメンテナンスする際に作業者やユーザーの安全を確保するため、カバー（ドアともいう）の開閉と連動して電気回路の遮断と接続を切り替えるスイッチ回路を有する構成が用いられている。すなわち、カバーが開いた状態で装置内の部材に電力が供給されないようになっている。
【０００３】
特許文献１には、電子写真方式の画像形成装置に具備されたドア開閉検知装置は、開閉動作が可能なドアとドアの開閉に連動し電源と回路を接続状態と遮断状態に切り替えるスイッチを有している。そして、スイッチに設けられたスイッチ切替部材、スイッチ切替部材を操作するスイッチ操作部材、スイッチ操作部材を貫通させる貫通穴を有する保護カバーを有している。
【０００４】
このようなドア開閉検知装置の概略構成図を図７、図８に示す。図７は断面図、図８は斜視図を示しており、各々の図において（ａ）はドアが開いた状態、（ｂ）はドアが閉じた状態、（ｃ）はドアが開いた状態において作業者やユーザーが指を近づけた状態を示している。図中において、１０はスイッチ本体、１２は本体フレーム、１５は保護カバー、１５ａは保護カバー１５に設けられた貫通穴である。また、１６はスイッチ支持部材、１６ａはスイッチ支持部材の接触部であり、スイッチ本体１０は樹脂製のスイッチ支持部材１６にて支持されている。また、１０ａはスイッチ本体１０に連結された金属製のスイッチ切替部材、１１はスイッチ操作部材、１１ａはスイッチ操作部材の押圧部である。ここで、スイッチ切替部材１０ａは回転中心１０ｃを基準にスイッチ本体１０に対してＡ方向へ弾性的に付勢されており、ドア開状態においてスイッチ支持部材の接触部１６ａに突き当たることで位置決めされている。また、スイッチ操作部材１１は開閉するドア（不図示）と一体にＲ方向に開閉可能であり、押圧部１１ａが保護カバーの穴１５ａから本体内部へ進入し、スイッチ切替部材１０ａをＢ方向へ押圧することでスイッチを切替える構成となっている。
【０００５】
このようなドア開閉検知装置では、ドアの閉状態においてスイッチ操作部材の押圧部１１ａがスイッチ切替部材１０ａを確実に押すことができるように、スイッチ本体１０をドアおよびスイッチ操作部材１１の側へ配置している。また、作業者やユーザーが保護カバーの穴１５ａから誤って指１８を入れてスイッチ切替部材１０ａを押すことのないよう、保護カバーの穴１５ａおよびスイッチ操作部材の押圧部１１ａの大きさや形状を適切に構成している。
【先行技術文献】
【特許文献】
【０００６】
【特許文献１】特開２０１０−０５４５９２号公報
【発明の概要】
【発明が解決しようとする課題】
【０００７】
しかしながら、保護カバーの穴１５ａの大きさはスイッチ操作部材の押圧部１１ａが接触せずに進入するためにある程度の大きさが必要である。したがって、図７（ｃ）、図８（ｃ）のように保護カバーの穴１５ａ付近に作業者やユーザーが指１８で触れた場合に、指１８が帯電していると指１８がスイッチ切替部材１０ａに直接触れていなくてもスイッチ切替部材１０ａに静電気放電することがある。静電気が放電すると図のＤ方向にノイズが伝搬し、スイッチ本体１０に接続された電気回路が誤動作および破損する可能性がある。
【０００８】
本発明は、上記課題に鑑みて、スイッチ切替部材に静電気が放電した場合でも、スイッチに接続された電気回路の誤動作や破損が生じない装置を提供することを目的とする。
【課題を解決するための手段】
【０００９】
上記課題を解決するための、本発明の開閉検知装置は、開閉可能なカバーと、前記カバーが開いた状態で電力を遮断する遮断状態に切り替え、前記カバーが閉まった状態で電力を供給する供給状態に切り替えるスイッチと、前記スイッチの状態を切り換えるための導電性の切替部材と、前記カバーが閉まった状態で前記切替部材を押圧して前記スイッチを前記供給状態にし、前記カバーが開いた状態で前記切替部材から離れることにより押圧を解除して前記スイッチを前記遮断状態にする操作部材と、前記カバーが開いた状態で前記切替部材と接触して前記切替部材の位置を固定する位置決め部材と、を有し、前記位置決め部材は導電性部材であり接地されていることを特徴とする。
【００１０】
また、本発明の画像形成装置は、画像を形成するための画像形成手段と、前記画像形成手段の一部を露出するために開閉可能なカバーと、前記カバーが開いた状態で電力を遮断する遮断状態に切り替え、前記カバーが閉まった状態で電力を供給する供給状態に切り替えるスイッチと、前記スイッチの状態を切り換えるための導電性の切替部材と、前記カバーが閉まった状態で前記切替部材を押圧して前記スイッチを前記供給状態にし、前記カバーが開いた状態で前記切替部材から離れることにより押圧を解除して前記スイッチを前記遮断状態にする操作部材と、前記カバーが開いた状態で前記切替部材と接触して前記切替部材の位置を固定する位置決め部材と、を有し、前記位置決め部材は導電性部材であり接地されていることを特徴とする。
【発明の効果】
【００１１】
本発明によれば、スイッチ切替部材に静電気放電した場合でも、スイッチに接続された電気回路の誤動作や破損が発生しない装置を提供することができる。
【図面の簡単な説明】
【００１２】
【図１】本発明の実施例１に係るドア開閉検知装置の構成説明図（断面図）
【図２】本発明の実施例１に係るドア開閉検知装置の構成説明図（斜視図）
【図３】本発明の実施例２に係るドア開閉検知装置の構成説明図（断面図）
【図４】本発明の実施例２に係るドア開閉検知装置の構成説明図（斜視図）
【図５】画像形成装置の概略構成図（断面図）
【図６】スイッチ内部構造の構成説明図（断面図）
【図７】従来のドア開閉検知装置の構成説明図（断面図）
【図８】従来のドア開閉検知装置の構成説明図（斜視図）
【発明を実施するための形態】
【００１３】
以下、本発明に係るドア開閉検知装置および画像形成装置を図面に則して説明する。
【００１４】
（画像形成装置の概略構成）
図５は本実施形態に係る画像形成装置１００の概略構成図である。図５を参照し、画像形成装置における記録材に画像形成を行うプロセスの概要を説明する。感光体１０９はプロセスカートリッジ１１２に設けられ、不図示のモータによって駆動されて、その表面に静電潜像が形成され、静電潜像がトナーにより現像され、現像されたトナー画像を担持する像担持体である。帯電部材としての帯電ローラ１１０は、感光体１０９の表面を均一に帯電させる部材である。帯電ローラ１１０には、高電圧を生成する電源回路（不図示）から高電圧（帯電バイアスともいう）が供給される。レーザースキャナユニット１１４は、帯電ローラ１１０により一様に帯電した感光体１０９の表面を露光して静電潜像を形成する露光部である。レーザースキャナユニット１１４はレーザービームを出射するための半導体レーザー（不図示）を有しており、画像データに応じたレーザービーム１１３を感光体１０９に照射して静電潜像を形成する。現像ローラ１１１は感光体１０９の表面に形成された静電潜像にトナーを供給することで潜像を現像してトナー画像を形成する現像部材である。現像ローラには、高電圧を生成する電源回路（不図示）から高電圧（現像バイアスともいう）が供給される。
【００１５】
給紙カセット１０２には記録材としてのシートＳが積載される。シートＳとしては、普通紙、薄紙、厚紙、ＯＨＴシート、ラフ紙等、種々のシートを用いることができる。シートＳは給紙ローラ１０３により給送されると共に分離パッド１０４の摩擦力により捌かれて、１枚だけが搬送ローラ対１０５に給送される。その後、シートＳは搬送ローラ対１０５、レジストローラ対１０６を通って感光体１０９と転写ローラ１０８とが当接する転写位置に搬送される。転写ローラ１０８には高電圧を生成する電源回路（不図示）から高電圧（転写バイアスともいう）が供給され、感光体１０９上のトナー画像をシートＳに転写する。定着ローラ対１１５はトナー画像に対して熱と圧力を加えてトナー画像を溶融させ、シートＳ上に固着させる。定着ローラ対１１５により搬送されたシートＳは、排出ローラ対１１６、１１７を通過して排出トレイ１１８上に排出されて積載される。
【００１６】
画像形成装置の外装カバーを兼ねるドア１２０は、１２０ｃを回転支点としてＬ方向及びＲ方向に開閉可能である。ドア１２０が開いた状態で画像形成装置の内部にあるプロセス部材の一部が露出する。ドア１２０の開閉は、例えば、像担持体としての感光ドラムを含むユニットとして交換可能なプロセスカートリッジ１１２の着脱、シートＳのジャム処理、装置のメンテナンス等を目的として作業者やユーザーの操作により行われる。このとき、ドア１２０に連結されたスイッチ操作部材１１がドア１２０の開閉動作に合わせてＲ方向に移動し、装置１００に設置されたスイッチ本体１０に接離することで電気回路の接続・遮断を切り替えている。電気回路の接続・遮断によって装置内部への電源からの電力を供給する供給状態と、電力を遮断した遮断状態に切り替えることができる。
【００１７】
尚、画像形成装置１００としては、図５に示す構成以外として、複数の感光ドラムと中間転写体を有する、カラー画像を形成するための画像形成装置であってもよい。いずれの場合もドア開閉検知装置が使用される場合に本発明を適用可能である。
【００１８】
（ドア開閉検知装置）
図６はスイッチ１０の内部構造を示す概略断面図である。図６を参照し、スイッチ１０の内部構造およびスイッチ切替機構について説明する。２０はボタンであり絶縁性部材である。ボタン２０はスイッチ切替部材１０ａの動作により、可動片２１を操作する。可動片２１の先端には可動接点２２が取り付けられている。２４はダミー端子である。端子２５の先端には固定接点２３が取り付けられている。端子２６には可動片２１が取り付けられている。図６に示す通り、スイッチ切替部材１０ａの動作により、可動接点２２と固定接点２３が接触と離間をすることで、端子２５と端子２６の接続状態（点線で示した状態）と遮断状態が切り替わる。端子２５と端子２６には、高電圧を生成する電源回路の電源ラインが接続される。
【００１９】
これにより、ドア１２０が開いた状態の時に、電源回路をオフにすることができる。従って、作業者やユーザーがプロセスカートリッジ交換、シートＳのジャム処理、メンテナンス等を行う際に、誤って高電圧を印加するための接点（バイアス接点）に触れて感電することを防止している。
【００２０】
しかしながら、図７、図８に示す従来構成においては、保護部材としてのカバー部材の穴１５付近を帯電したユーザーが触った場合、スイッチ切替部材１０ａに静電気放電することがある。そうすると、スイッチ本体１０内部で二次放電し、端子２５と端子２６に接続された回路にノイズが伝搬することで誤動作および破損する虞がある。したがって、作業者やユーザーの操作方法によらず、スイッチ本体１０に接続された電気回路が誤動作および破損しない構成が求められている。
【００２１】
次に、本発明のドア開閉検知装置について実施例に基づき説明する。
【実施例１】
【００２２】
実施例１のドア開閉検知装置について、図１、図２の概略構成図を用いて説明する。図１は断面図、図２は斜視図を示しており、各々の図において（ａ）はドアが開いた状態、（ｂ）はドアが閉じた状態、（ｃ）はドアが開いた状態において作業者やユーザーが指を近づけた状態を示している。図中において、１０は電気回路の接続状態と遮断状態を切り替えるスイッチ本体である。１２は接地電位（グランドともいう）に連結され電気的に接地された導電性（例えば金属製）の本体フレームである。１２ａは本体フレームの一部に設けられている導電性の部材である。１５は保護部材としての保護カバー、１５ａは保護カバー１５に設けられた貫通穴である。１６はスイッチ支持部材であり、スイッチ本体１０は樹脂製のスイッチ支持部材１６にて支持されている。また、１０ａはスイッチ本体１０に連結された導電性（例えば金属製）のスイッチ切替部材、１１はスイッチ操作部材、１１ａはスイッチ操作部材の押圧部である。ここで、スイッチ切替部材１０ａは回転中心１０ｃを基準にスイッチ本体１０に対してＡ方向へ弾性的に付勢されており、ドアが開いた状態において本体フレームの接触部１２ａに突き当たって接触した状態で位置決めされている。すなわち、接触部１２ａは、スイッチ切替部材の位置を固定する位置決め部材として機能する。なお、この状態では、スイッチ操作部材１１の押圧部によるスイッチ切換部材１０ａの押圧は解除されている。また、スイッチ操作部材１１は開閉するドア１２０（図５参照）と一体にＬ方向に開き、Ｒ方向に閉めることが可能である。そして、ドアを閉めることにより押圧部１１ａが保護カバーの穴１５ａから本体内部へ進入し、スイッチ切替部材１０ａをＢ方向へ押圧することでスイッチを切替える構成となっている。尚、スイッチ操作部材１１は本構成のように開閉するドアと別の部品でもよいし、スイッチ操作部材の押圧部１１ａがドアと一体的に形成されたものでもよい。ここで、スイッチ１０は、図１（ａ）、図２（ａ）のようにドアが開いた状態では遮断状態、図１（ｂ）、図２（ｂ）のようにドアが閉まった状態では接続状態となる。つまり、ドア１２０の開閉動作に連動してスイッチ１０の接続状態と遮断状態を切り替えることができる。
【００２３】
このように、本実施例に係るドア開閉検知装置は、ドアが開いた状態におけるスイッチ切替部材１０ａをグランドに連結され電気的に接地された導電性の本体フレーム１２の接触部１２ａに接触させて位置決めを行う。すなわち、ドアが開いた状態でスイッチ切替部材１０ａが接地された状態となる。従って、図１（ｃ）、図２（ｃ）に示すように作業者やユーザーの指１８から静電気放電した場合、図中のＤ方向に電流が伝搬することで、スイッチ切替部材１０ａから本体フレーム１２を介してグランドに放電する。したがって、スイッチ本体１０へのノイズの伝搬を防ぐことができ、電気回路の誤動作および破損を防止することができる。
【実施例２】
【００２４】
続いて、実施例２について図３、図４を用いて説明する。図３は断面図、図４は斜視図を示しており、各々の図において（ａ）はドアが開いた状態、（ｂ）はドアが閉じた状態、（ｃ）はドアが開いた状態において作業者やユーザーが指１８を近づけた状態を示している。図３、図４における基本構成は第１の実施形態である図１、図２と同様である。本実施例では、スイッチ切替部材１０ａと本体フレーム１２の間にスイッチ切替部材の位置決め部材１３を別部品として介した構成であり、本体フレーム１２で接触部１２ａを形成できない場合等に用いることができる。
【００２５】
本実施例においては、導電性（例えば金属製）の位置決め部材１３をグランドに連結された本体フレーム１２に対してビス１７で締結し、電気的に接地している。ここで、スイッチ切替部材１０ａは回転中心１０ｃを基準にスイッチ本体１０に対してＡ方向へ弾性的に付勢されており、ドアが開いた状態において位置決め部材１３の接触部１３ａに突き当たって接触することで位置決めされている。尚、位置決め部材１３の本体フレーム１２への締結方法は、上記のようにビス１７による締結でもよいし、電気的に接触していれば他の方法（例えば溶接やカシメ）でも構わない。
【００２６】
上記のように、本発明に係るドア開閉検知装置においては、ドアが開いた状態におけるスイッチ切替部材１０ａを電気的に接地された導電性（例えば金属製）の位置決め部材１３の接触部１３ａに突き当て接触することで位置決めを行う。すなわち、ドアが開いた状態でスイッチ切替部材１０ａも接地される。このとき、図３（ｃ）、図４（ｃ）に示すように作業者やユーザーの指１８から静電気放電した場合、図中のＥ方向に電流が伝搬することで、スイッチ切替部材１０ａから位置決め部材１３、ビス１７、本体フレーム１２を介してグランドに放電する。したがって、スイッチ本体１０へのノイズの伝搬を防ぐことができ、電気回路の誤動作および破損を防止することができる。
【００２７】
なお、上記二つの実施例では、画像形成装置に設けられたカバーとカバーに連動してスイッチを接続、遮断する構成について説明した。しかし、上記の実施例を提供することができる装置としては、画像形成装置本体に限らず、画像形成装置に接続して使用される排紙オプション装置や給紙オプション装置等にも適用可能である。
【符号の説明】
【００２８】
１０  スイッチ
１１  スイッチ操作部材
１１ａ  スイッチ操作部材の押圧部
１２  本体フレーム（グランド）
１２ａ  導電性の部材
１３  導電性の位置決め部材
１３ａ  位置決め部材の接触部
１５  保護部材
１５ａ  保護部材の穴
１６  スイッチ支持部材
１６ａ  スイッチ支持部材の接触部
１８  指
【図１】
2019089210.tif 000003
【図２】
2019089210.tif 000004
【図３】
2019089210.tif 000005
【図４】
2019089210.tif 000006
【図５】
2019089210.tif 000007
【図６】
2019089210.tif 000008
【図７】
2019089210.tif 000009
【図８】
2019089210.tif 000010